(57)【特許請求の範囲】
【請求項１】
浴室壁パネルの下端部に穿設された孔部に取り付けられ、
前後に対向する保持部を床パン周縁の立上片に上方から差し込むことで、前記浴室壁パネルを前記床パンに固定するための壁パネル接続具であって、
本体部と、
この本体部の前方に設けられ、前記孔部よりも小さくなるよう弾性的に変形可能であり、前記孔部内に挿入されて当該孔部の内周縁に係止される取付部と、
前記取付部を前記孔部よりも小さくするよう弾性変形させる操作部と
を備え、
前記本体部には側方に開放した凹所が設けられ、
前記操作部は、前記凹所内に収容配置されて前記本体部の側面から非突出となっている
ことを特徴とする壁パネル接続具。
【請求項２】
浴室壁パネルの下端部に穿設された孔部に取り付けられ、
前後に対向する保持部を床パン周縁の立上片に上方から差し込むことで、前記浴室壁パネルを前記床パンに固定するための壁パネル接続具であって、
前記孔部よりも小さくなるよう弾性的に変形可能であり、前記孔部内に挿入されて当該孔部の内周縁に係止される取付部と、
前記浴室壁パネルの下端面に当接するパネル支持部と
を備え、
このパネル支持部の下端面は、エッジ部がＲ形状に形成されたパッキン当接面となっている
ことを特徴とする壁パネル接続具。
【発明の詳細な説明】
【技術分野】
【０００１】
本発明は、床パン周縁の立設片に浴室壁パネルを固定するための壁パネル接続具に関する。
【背景技術】
【０００２】
従来、床パン周縁の立設片に浴室壁パネルを固定するための壁パネル接続具が知られている（例えば特許文献１参照）。
【０００３】
この種の壁パネル接続具は、図８に示されるように、前後に対向する保持片９０と、浴室壁パネル９５側に向けて突出する取付部９１とを有している。この取付部９１は、突出先端ほど膨大しており、壁パネル９５の下端部に穿設された、いわゆるだるま孔９２に取り付け可能となっている。ここで、だるま孔９２とは、図８に示されるように、先端が膨大した取付部９１を挿入可能な大径部９３と、この大径部９３に連続的に設けられ且つ取付部９１を係止する小径部９４とにより構成された取付孔である。
【０００４】
特許文献１記載の壁パネル接続具は、下側壁パネルの下端部に取り付けられる。下側壁パネルは、その下端部の辺縁に沿って左右方向に長いだるま孔が穿設されている。壁パネル接続具を取り付けるに際して、施工者は、先端ほど膨大した取付部を、だるま孔の大径部に後方から挿入し、その後、横方向にスライド移動させて小径部に係止させて固定する（図８参照）。
【０００５】
施工者は、壁パネル接続具が取り付けられた下側壁パネルを、床パン周縁部に配置する。このとき施工者は、壁パネル接続具の前後に対向する保持片を、床パンの立上片に上方から差し込むようにして、下側壁パネルを固定する。
【先行技術文献】
【特許文献】
【０００６】
【特許文献１】特開２００７−１００３８９号公報
【発明の概要】
【発明が解決しようとする課題】
【０００７】
次いで施工者は、下側壁パネルの左右位置の調整を行なう。このとき施工者は、床パン周縁の立上片に沿って左右方向に下側壁パネルを移動させる。ところが、壁パネル接続具は左右方向に長いだるま孔に取り付けられているため、施工者が下側壁パネルをだるま孔の小径部側に横移動させた場合には、この壁パネル接続具が相対的に大径部側に移動してしまう場合がある。この場合、壁パネル接続具が下側壁パネルから外れてしまうという問題があった。
【０００８】
本発明は、上記事情に鑑みてなされたものであり、その目的とするところは、施工中に予期せず外れてしまうことを防止できる壁パネル接続具を提供することにある。
【課題を解決するための手段】
【０００９】
本発明の壁パネル接続具は、浴室壁パネルの下端部に穿設された孔部に取り付けられ、前後に対向する保持部を床パン周縁の立上片に上方から差し込むことで、前記浴室壁パネルを前記床パンに固定するための壁パネル接続具であって、本体部と、この本体部の前方に設けられ、前記孔部よりも小さくなるよう弾性的に変形可能であり、前記孔部内に挿入されて当該孔部の内周縁に係止される取付部と、前記取付部を前記孔部よりも小さくするよう弾性変形させる操作部とを備え、前記本体部には側方に開放した凹所が設けられ、前記操作部は、前記凹所内に収容配置されて前記本体部の側面から非突出となっていることを特徴とする。
【００１１】
本発明の壁パネル接続具は、浴室壁パネルの下端部に穿設された孔部に取り付けられ、前後に対向する保持部を床パン周縁の立上片に上方から差し込むことで、前記浴室壁パネルを前記床パンに固定するための壁パネル接続具であって、前記孔部よりも小さくなるよう弾性的に変形可能であり、前記孔部内に挿入されて当該孔部の内周縁に係止される取付部と、前記浴室壁パネルの下端面に当接するパネル支持部とを備え、このパネル支持部の下端面は、エッジ部がＲ形状に形成されたパッキン当接面となっていることを特徴とする。
【発明の効果】
【００１２】
本発明の壁パネル接続具によれば、施工中に予期せず外れてしまうことを防止することができるようになる。
【図面の簡単な説明】
【００１３】
【図１】本実施形態の壁パネル接続具の斜視図である。
【図２】床パンの一部を破断した斜視図である。
【図３】浴室壁パネルの背面下方から見た斜視図である。
【図４】本実施形態の壁パネル接続具を、浴室壁パネルに装着した斜視図である。
【図５】本実施形態の壁パネル接続具の使用状態の要部断面図であり、（ａ）は床パンに浴室壁パネルが載置される直前を示し（ｂ）は床パンに浴室壁パネルが載置された状態を示している。
【図６】壁パネル接続具がパッキンを弾性変形させた状態の正面図であり（ａ）は本実施形態の壁パネル接続具についての図であり（ｂ）はパネル支持部の下端面のエッジ部が角形状である壁パネル接続具についての参考図である。
【図７】本実施形態の壁パネル接続具の使用状態を示す斜視図である。
【図８】（ａ）（ｂ）は、従来の壁パネル接続具を説明するための斜視図である。
【発明を実施するための形態】
【００１４】
以下、本発明の実施形態について添付図面に基づいて説明する。
【００１５】
本実施形態の壁パネル接続具１は、図７に示されるように、ユニットバスルームにおける床パン７と浴室壁パネル８との接続に用いられる。ユニットバスルームは、床パン７の周縁に浴室壁パネル８が配設され、その浴室壁パネル８の上部に天井パネル（図示せず）が載設される。
【００１６】
床パン７は、図２に示されるように、洗い場部７１と浴槽部７２とが一体化された平面視矩形状の防水パンにより構成されており、その周縁に立上片７３が上方に向けて突設されている。本実施形態の立上片７３は、洗い場部７１における浴槽部７２に隣接する辺以外の周縁に設けられ、浴槽部７２における洗い場部７１側を除く浴室フランジの外周縁に設けられている。
【００１７】
浴室壁パネル８は、図３に示されるように、平面視矩形状をしており、金属板により構成された壁面板８１の背面に断熱材８２が敷設されることで主体が構成されている。浴室壁パネル８は、壁面板８１の下端部を後方側に屈曲することで形成された横片部８３と、この横片部８３の後端を上方に屈曲することで形成された縦片部８４とを有している。縦片部８４は、前後方向に貫通した孔部８５が穿設されている。
【００１８】
孔部８５は、丸孔により構成されている。本実施形態の孔部８５は、直径が８ミリ程度の丸孔により構成されている。孔部８５は、浴室壁パネル８の下端部に沿って、所定のピッチで複数箇所に穿設されている。
【００１９】
この孔部８５に、本実施形態の壁パネル接続具１が装着される。
【００２０】
壁パネル接続具１は、床パン７の周縁に立設された立上片７３に浴室壁パネル８を固定するために用いられるものである。本実施形態の壁パネル接続具１は、合成樹脂により一体成形されている。壁パネル接続具１は、図１に示されるように、浴室壁パネル８の縦片部８４の後面に当接した状態で配置される本体部２と、本体部２から前方に向けて突設された取付部３と、本体部２の後方側に設けられた一対の保持部４とを備えている。また壁パネル接続具１は、その上端に、壁パネルの裏面に当接する上部当接部５と、浴室壁パネル８の下端面に当接するパネル支持部６とを備えている。
【００２１】
取付部３は、浴室壁パネル８に穿設された孔部８５に挿入されるよう構成されている。取付部３は、本体部２から前方に向けて突出し且つ内部が中空に形成された筒状部３１と、浴室壁パネル８の孔部８５の内周縁の前面側に当接することで壁パネル接続具１を係止する係止爪３２とを備えている。
【００２２】
係止爪３２は、筒状部３１の中心に対して対称となる位置に一対設けられている。係止爪３２は、筒状部３１の周壁に突没自在に設けられており、係止爪３２の突出端同士の寸法が、孔部８５の内径よりも小さくなるよう弾性的に変形可能となっている。具体的に係止爪３２は、筒状部３１に対して当該係止爪３２の前端で連結されており、自然状態で筒状部３１の外周面から突出した状態となっている。係止爪３２は、筒状部３１の中心側に押圧されることで筒状部３１内に没入し、その押圧力が解除されると、自然状態に復元する。係止爪３２は、前側ほど筒状部３１中心側に位置するような傾斜面３３を有しており、孔部８５に挿入されると、当該傾斜面３３に孔部８５の内周縁が当接する。これにより係止爪３２は、孔部８５に挿入される際には孔部８５の内周縁によって押し込まれる。
【００２３】
本実施形態の壁パネル接続具１は、係止爪３２に一体に連設された操作部２１を有している。この操作部２１は、係止爪３２の突出端間の距離を孔部８５の内径よりも小さくなるよう弾性変形させ、すなわち、取付部３を孔部８５よりも小さくなるよう弾性的に変形させる。操作部２１は、係止爪３２から左右方向の外側に向けて連設された操作片２２により構成されている。操作片２２は、本体部２の左右方向の側部に設けられ且つ側方に開口する凹所２３内に設けられている。
【００２４】
しかも操作片２２は、本体部２の凹所２３内に収容されることで、本体部２の左右方向の端面からは非突出となっている。これにより、壁パネル接続具１が浴室壁パネル８に取り付けられた状態において、壁パネル接続具１に別の部材が衝突しても、予期しない脱着を防ぐことができる。
【００２５】
保持部４は、互いに対向する第１保持部４１と第２保持部４２とを備えている。各保持部４１，４２は、前後に並び且つ所定寸法だけ離間して配置されている。第１保持部４１は、本体部２から後方に向けて逆Ｌ字形状に突設された保持片により構成されている。また第２保持部４２は、第１保持部４１に対向する本体部２の下端部分により構成されている。これら保持部４１，４２は、互いに対向するよう配置されることで下方に開口し、床パン７に設けられた立上片７３に対して上方から差し込まれて、床パン７に保持される。
【００２６】
第１保持部４１は、その下端面の前後方向の両縁部のうち、床パン７の立上片７３に近接対向又は接触する側の縁部４３が、断面略直角に形成されたいわゆるピン角に形成されている。これにより、保持部４が一旦立上片７３に差し込まれると、保持部４が立上片７３の表面に引っ掛かりやすくなり、抜け難くなる。
【００２７】
パネル支持部６は、図５に示されるように、浴室壁パネル８の下端面に当接するよう構成されている。本実施形態のパネル支持部６は、床パン７の底面に直接載置される床パン載置部６１と、浴室壁パネル８の下方に配設されたパッキン８６に当接するパッキン当接面６２とを有している。パネル支持部６は、床パン７と浴室壁パネル８との間に挟まれることで、床パン７に対して一定寸法だけ浮かせた状態で、浴室壁パネル８を配設することができるよう構成されている。これにより浴室壁パネル８の下方に配設されたパッキン８６が、過剰に圧縮されるのを防いでいる。
【００２８】
パッキン当接面６２は、図６（ａ）に示されるように、左右方向のエッジ部６３（パネル支持部６の下側の出隅部分）が、いわゆるＲ形状（すなわちエッジが立っていない曲面形状）となっている。しかもパッキン当接面６２は、パネル支持部６の突出先端ほど漸次上方に位置している。このためパッキン当接面６２は、パッキン８６上に載置された状態で、浴室壁パネル８により上方から荷重を受けても、パッキン８６との間に隙間が生じにくい。
【００２９】
なお、仮に、パネル支持部（図６（ｂ）中符号６０）におけるパッキン当接面６２のエッジ部６３が、エッジが立った角部となっている場合には、図６（ｂ）に示されるような略三角形状の隙間６４が生じやすい。
【００３０】
上部当接部５は、本体部２の上端に設けられている。本実施形態の上部当接部５は、本体部２から前方に向けて突設されており、浴室壁パネル８の裏面に当接するようになっている。
【００３１】
次に、施工者が浴室壁パネル８を床パン７に設置する場合につき説明する。
【００３２】
施工者は、まず壁パネル接続具１を浴室壁パネル８に装着する。施工者は、浴室壁パネル８の下端部に設けられた孔部８５に、本実施形態の壁パネル接続具１の取付部３を充てがい、その後、当該壁パネル接続具１を孔部８５側に押し込む。すると係止爪３２が、筒状部３１中心側に向けて押圧されて筒状部３１の外周面から凹没し、取付部３が孔部８５よりも小さくなるよう弾性変形してゆく。そのまま、壁パネル接続具１を押し込み続け、上部当接部５が浴室壁パネル８の背面に当接すると共に本体部２が縦片部８４に当接すると、係止爪３２が自然状態に復元して筒状部３１外周面から突出する。これにより、壁パネル接続具１は、取付部３が孔部８５の内周縁に係止され、浴室壁パネル８に装着される（図４参照）。
【００３３】
次いで施工者は、床パン７における浴室壁パネル８が載置される部位に、パッキン８６を配設する。この後、壁パネル接続具１が装着された浴室壁パネル８を、当該壁パネル接続具１の保持部４を床パン７の立上片７３の上方から差し込むようにして、床パン７上に載置する（図５参照）。
【００３４】
床パン７に浴室壁パネル８が載置されると、壁パネル接続具１のパッキン当接面６２は、床パン７上のパッキン８６に当接し、当該パッキン８６を弾性変形させる。このとき、壁パネル接続具１は、床パン７底面と浴室壁パネル８の下端面との間にパネル支持部６を介在させるため、パッキン８６が潰れすぎてしまうのを防ぐことができる。
【００３５】
この後、施工者は、床パン７上に載置された浴室壁パネル８の左右位置を調整する。本実施形態では、浴室壁パネル８の取付用の孔部８５が丸孔により構成されているため、浴室壁パネル８を左右方向にスライド移動させたとしても、壁パネル接続具１が外れにくい。
【００３６】
次に、浴室壁パネル８が床パン７に設置された後に、当該浴室壁パネル８を取り外す場合につき説明する。
【００３７】
施工者は、設置された浴室壁パネル８の背後に回りこみ（図７参照）、壁パネル接続具１の操作片２２を、両側方から中央側に向けて押圧する。すると、係止爪３２が筒状部３１の外周面から没入し、取付部３が孔部８５よりも小さくなる。この状態で、浴室壁パネル８を前方に移動させるか、又は立上片７３よりも上方に位置させた状態で壁パネル接続具１を後方に引っ張ることで、当該壁パネル接続具１を取り外すことができる。
【００３８】
このように本実施形態の壁パネル接続具１は、孔部８５の内周縁に係止される取付部３が、孔部８５よりも小さくなるよう弾性的に変形可能となっているため、丸孔に対しても簡単に装着することができる。これにより、仮に浴室壁パネル８を床パン７上に載置した後、左右方向に調整した場合であっても、壁パネル接続具１が孔部８５から外れてしまうのを防止することができる。
【００３９】
また本実施形態の壁パネル接続具１は、取付部３を孔部８５よりも小さくするよう弾性変形させる操作部２１を有しているため、一旦、孔部８５に取り付けられた壁パネル接続具１を、施工者が簡単に取り外すことができる。
【００４０】
しかもこの操作部２１は、本体部２の側方に開放した凹所２３内に収容配設されており、本体部２の側面から非突出となっているため、別の物体に衝突して予期せず係止が解除されるようなことが起こりにくい。
【００４１】
また、パネル支持部６の下端面は、エッジ部６３がＲ形状に形成されたパッキン当接面６２となっているから、パッキン８６が押し潰されたときに隙間が発生しにくい。
【００４２】
なお、本実施形態の壁パネル接続具１は、Ｒ形状に形成されたパネル支持部６のエッジ部６３が、パッキン当接面６２の左右方向両側に位置する出隅部分に設けられていたが、前後方向に位置する出隅部分がＲ形状となっていてもよい。
【符号の説明】
【００４３】
１      壁パネル接続具
２      本体部
２１    操作部
３      取付部
３１    筒状部
３２    係止爪
４      保持部
４１    第１保持部
４２    第２保持部
６      パネル支持部
６１    床パン載置部
６２    パッキン当接面
７      床パン
７３    立上片
８      浴室壁パネル
８１    壁面板
８２    断熱材
８３    横片部
８４    縦片部
８５    孔部
８６    パッキン
【図１】
0005672612.tif 000002
【図２】
0005672612.tif 000003
【図３】
0005672612.tif 000004
【図４】
0005672612.tif 000005
【図５】
0005672612.tif 000006
【図６】
0005672612.tif 000007
【図７】
0005672612.tif 000008
【図８】
0005672612.tif 000009